(57)【要約】【課題】１つの指示値に基づいて複数の補正部を制御することができる技術が求められていた。【解決手段】本開示によれば、音声信号を出力する機能を有する情報処理装置において、音声信号に対する補正を行う複数の補正部と、１つの指示値に基づいて、複数の補正部を制御する制御部と、を備える、情報処理装置が提供される。ここで、指示値は例えばボリューム設定値であり、複数の補正部は、例えば音圧補正部、帯域補正部、及び強調補正部が含まれていてもよい。制御部は、ボリューム設定値に応じてこれらの補正部による補正のうち、少なくとも１つの補正部による補正を有効とし、他の補正部による補正を無効としてもよい。【選択図】図１
2014236278.tif 000002
【特許請求の範囲】
【請求項１】
音声信号を出力する機能を有する情報処理装置において、
前記音声信号に対する補正を行う複数の補正部と、
１つの指示値に基づいて、前記複数の補正部を制御する制御部と、を備える、情報処理装置。
【請求項２】
前記制御部は、前記指示値に基づいて、前記複数の補正部のうち、少なくとも１つの補正部による補正を有効とし、他の補正部による補正を無効とする、請求項１記載の情報処理装置。
【請求項３】
前記複数の補正部には、音声信号の音圧レベルを周波数毎に補正する帯域補正部、及び前記音声信号を強調する補正を行う強調補正部のうち、少なくとも一方が含まれる、請求項１記載の情報処理装置。
【請求項４】
前記複数の補正部には、前記音声信号の音圧レベルを一律に補正する音圧補正部を含む、請求項３記載の情報処理装置。
【請求項５】
前記指示値は前記音声信号のボリューム設定値であり、
前記制御部は、前記ボリューム設定値に基づいて、前記帯域補正部、前記強調補正部、及び前記音圧補正部を制御する、請求項４記載の情報処理装置。
【請求項６】
前記制御部は、前記ボリューム設定値が高音量値を示す場合、前記強調補正部による補正を有効とし、前記ボリューム設定値が前記高音量値よりも低い中間音量値を示す場合、前記帯域補正部による補正を有効とし、前記ボリューム設定値が前記中間音量値よりも低い低音量値を示す場合、少なくとも前記音圧補正部による補正を有効とする、請求項５記載の情報処理装置。
【請求項７】
前記帯域補正部は、前記音声信号の中間周波数帯域の音圧レベルを前記中間周波数帯域以外の帯域の音圧レベルよりも大きく減衰させる、請求項３記載の情報処理装置。
【請求項８】
前記強調補正部は、前記音声信号の波高値を維持しつつ前記音声信号の音圧レベルを補正する、請求項３記載の情報処理装置。
【請求項９】
音声信号を出力する処理を行う情報処理方法において、
複数の補正部により、前記音声信号に対する補正を行うことと、
１つの指示値に基づいて、前記複数の補正部を制御することと、を含む、情報処理方法。
【請求項１０】
音声信号を出力する機能を有するコンピュータに、
前記音声信号に対する補正を行う複数の補正機能と、
１つの指示値に基づいて、前記複数の補正機能を制御する制御機能と、を実現させる、プログラム。
【発明の詳細な説明】
【技術分野】
【０００１】
本開示は、情報処理装置、情報処理方法、及びプログラムに関する。
【背景技術】
【０００２】
特許文献１には、音声信号を強調する補正を行う技術が開示されている。
【先行技術文献】
【特許文献】
【０００３】
【特許文献１】特開２０１２−６０３７９号公報
【発明の概要】
【発明が解決しようとする課題】
【０００４】
しかし、特許文献１に開示された技術を適用した情報処理装置においては、１つの指示値に基づいて１つの補正部（音声信号を強調する補正を行う補正部）しか制御することができなかった。このため、１つの指示値に基づいて複数の補正部を制御することができる技術が求められていた。
【課題を解決するための手段】
【０００５】
本開示によれば、音声信号を出力する機能を有する情報処理装置において、音声信号に対する補正を行う複数の補正部と、１つの指示値に基づいて、複数の補正部を制御する制御部と、を備える、情報処理装置が提供される。
【０００６】
本開示によれば、音声信号を出力する処理を行う情報処理方法において、複数の補正部により、音声信号に対する補正を行うことと、１つの指示値に基づいて、複数の補正部を制御することと、を含む、情報処理方法が提供される。
【０００７】
本開示によれば、音声信号を出力する機能を有するコンピュータに、音声信号に対する補正を行う複数の補正機能と、１つの指示値に基づいて、複数の補正機能を制御する制御機能と、を実現させる、プログラムが提供される。
【０００８】
本開示によれば、１つの指示値に基づいて、複数の補正部を制御することができる。
【発明の効果】
【０００９】
以上説明したように本開示によれば、１つの指示値に基づいて、複数の補正部を制御することができる。
【図面の簡単な説明】
【００１０】
【図１】本開示の実施形態に係る情報処理装置の構成を示すブロック図である。
【図２】同実施形態に係るマッピング処理部の構成を示すブロック図である。
【図３】ボリューム設定値の入力に使用される入力画像の一例を示す説明図である。
【図４】ボリューム設定値の入力に使用される入力画像の一例を示す説明図である。
【図５】ボリューム設定値の入力に使用される入力画像の一例を示す説明図である。
【図６】音圧レベルの減衰量が周波数ごとに異なるゲイン特性の一例を示すグラフである。
【図７】あるスピーカの出力特性と帯域補正部のゲイン特性とを対比して示すグラフである。
【図８】あるスピーカの出力特性と帯域補正部のゲイン特性とを対比して示すグラフである。
【図９】情報処理装置が出力する音声信号の音量感とボリューム設定値との対応関係の一例を示すグラフである。
【図１０】情報処理装置が出力する音声信号の音量感とボリューム設定値との対応関係の他の例を示すグラフである。
【図１１】情報処理装置による処理の手順を示すフローチャートである。
【図１２】情報処理装置による処理の手順を示すフローチャートである。
【図１３】音圧補正部が全ボリューム設定値に対応する補正を行った場合の音量感とボリューム設定値との対応関係を示すグラフである。
【図１４】あるスピーカの出力特性と音圧補正部のゲイン特性とを対比して示すグラフである。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．背景技術の検討
２．情報処理装置の概略構成
３．帯域補正部による処理
４．強調補正部による処理
５．制御部による処理
６．情報処理装置による処理の手順
【００１３】
＜１．背景技術の検討＞
本発明者は、本実施形態の背景技術を検討することで、本実施形態に係る情報処理装置に想到するに至った。そこで、まず、本発明者が行った検討について説明する。
【００１４】
音声信号を出力する機能を有する情報処理装置は、ユーザからボリューム設定値の入力を受け付け、入力されたボリューム設定値に応じた音量感の音声信号を出力する。ここで、音量感は、音声信号を聴いたユーザが感じる音量であり、音声信号の音圧レベル等に応じて変動する。したがって、情報処理装置は、音声信号を出力する前に、当該音声信号の音圧レベルをボリューム設定値に応じた値に補正する必要がある。このような補正を行う補正部（補正機能）として、音圧補正部が提案されている。音圧補正部は、音声信号の音圧レベルを全周波数帯域に亘って一律に減衰するものである。音圧レベルの減衰量は、ボリューム設定値によって異なる。音圧補正部は、例えばボリューム設定値が最大値となる場合を基準（減衰量ゼロ）とし、ボリューム設定値が小さいほど減衰量を大きくする。減衰量はゲインとも称される。
【００１５】
図１３に示すグラフＬ８０は、ボリューム設定値と音圧補正後音声信号（音圧補正部により補正された音声信号）の音量感との対応関係の一例を示す。横軸はボリューム設定値を示し、縦軸は音量感の値を示す。音量感の値は、ボリューム設定値の最大値（この例では１００）に対応する補正後音声信号の音量感を基準とした値である。
【００１６】
音圧補正部は、音声信号の音圧レベルを全周波数帯域に亘って一律に減衰するので、ユーザは、人間の聴覚特性上、音量が小さくなるほど低周波数帯域及び高周波数帯域の音声信号が聴き取りにくくなる。その理由を図１４に基づいて説明する。図１４の横軸はスピーカから出力される音声信号の周波数を示し、縦軸はスピーカから出力される音声信号の音圧レベル及びゲインを示す。
【００１７】
図１４に示すグラフＬ２０〜Ｌ２３は、音圧補正部により補正された音声信号を出力するスピーカの出力特性の一例を示す。ここで、スピーカの出力特性は、スピーカが出力する音声信号の周波数と音声信号の音圧レベルとの対応関係で示される。グラフＬ２０はボリューム設定値＝１００（最大値）に対応し、グラフＬ２１はボリューム設定値＝８０に対応する。グラフＬ２２はボリューム設定値＝６０に対応し、グラフＬ２３はボリューム設定値＝４０に対応する。
【００１８】
一方、グラフＬ９０、Ｌ９１は、音圧補正部のボリューム設定値＝１００、４０に対応するゲイン特性を示す。ここで、音圧補正部のゲイン特性は、音声信号の周波数と、音圧補正部による音声信号の減衰量（ゲイン）との対応関係で示される。具体的には、グラフＬ９０はボリューム設定値＝１００（最大値）に対応し、グラフＬ９１はボリューム設定値＝４０に対応する。なお、本実施形態では、音声信号の減衰量をマイナスの符号を付けて示す。例えば、減衰量が「−２４（ｄＢ）」となる場合、音圧補正部は、元の音声信号の音圧レベルを２４（ｄＢ）減衰する。
【００１９】
グラフＬ９０、Ｌ９１が示すとおり、音圧補正部のゲイン特性は、全周波数帯域で一定である。このため、グラフＬ２０〜Ｌ２３が示すとおり、音圧補正部は、音声信号の音圧レベルを全周波数帯域に亘って一律に減衰する。例えば、ボリューム設定値が１００から４０に低下した場合、音圧補正後音声信号の音圧レベルは全周波数帯域に亘って一律に１４（ｄＢ）低下する。
【００２０】
ここで、スピーカから出力される音声信号には、音圧レベルがフラットになる周波数帯域（以下、このような周波数帯域を「フラット帯域」とも称する）が存在する。グラフＬ２０〜Ｌ２３の例では、４５０（Ｈｚ）〜１４（ｋＨｚ）で音圧レベルがフラットになっているので、この周波数帯域がフラット帯域となる。フラット帯域が広いほど、高音質になる。また、各周波数帯域での音圧レベルが高いほど、よく聞こえる。特性の良いスピーカほど、フラット帯域は広くなり、また、各周波数帯域に対する音圧レベルは高くなり、高音質になる。
【００２１】
一方、音声信号の音圧レベルは、フラット帯域の前後の周波数帯域では低下する。したがって、フラット帯域の前後の帯域の音声信号は、ボリューム設定値の低下に伴って聴き取りにくくなる。すなわち、ユーザは、ボリューム設定値が小さくなると、人間の聴覚特性上、あたかも音声信号の再生帯域が狭くなったように感じてしまう。さらに、音圧補正部による補正では、ボリューム設定値が小さくなると、フラット帯域の広さは変わらずに全周波数帯域の音圧レベルが低くなる。これらの理由により、ユーザは、ボリューム設定値の低下に伴って音質が低下すると感じてしまう。
【００２２】
また、特許文献１には、音声信号の音圧レベルを補正する技術が開示されている。特許文献１に開示された補正部は、音声信号の波高値を維持しつつ、波高値より低い音圧レベルを高くすることで、音声信号全体の音量感をアップする。これにより、特許文献１に開示された補正部は、音声信号を強調する。以下、音声信号を強調する補正を行う補正部を強調補正部とも称する。
【００２３】
しかし、特許文献１に開示された技術を適用した情報処理装置では、１つの指示値に対して１つの補正部、すなわち強調補正部しか制御することができなかった。具体的には、ユーザが所望の強調量を入力（指示）すると、情報処理装置は、強調補正部による強調量をユーザから入力された強調量に一致させる。しかし、情報処理装置は、ユーザから入力された強調量（指示値）によって他の補正部を制御することができなかった。
【００２４】
さらに、強調補正部による補正をボリューム設定値に連動させることについては何ら提案されていなかった。さらに、ボリューム設定値に応じて複数の補正部を連携して動作させる（すなわちこれらの補正部を自動的に切り替えて制御する）技術についても何ら提案されていなかった。
【００２５】
以上の理由により、１つの指示値に基づいて複数の補正部を制御する技術が求められていた。特に、ボリューム設定値に基づいて上述した音圧補正部及び強調補正部を含む複数の補正部を制御する技術が求められていた。本発明者は、これらの技術について鋭意検討し、本実施形態に係る情報処理装置に想到するに至った。以下、本実施形態に係る情報処理装置について説明する。
【００２６】
＜２．情報処理装置の概略構成＞
次に、図１及び図２に基づいて、本実施形態に係る情報処理装置１０の概略構成について説明する。情報処理装置１０は、概略的には、音量感を調整できる複数の補正部を複合的に制御、使用し、かつ、これらをボリューム設定値に応じて自動的に切り替える。これにより、情報処理装置１０は、音量感を連続的に（シームレスに）変更しつつ、より高品質の音声信号を出力することができる。ボリューム設定値は、例えば０〜１００の範囲内の整数となる。もちろん、ボリューム設定値の範囲や具体的な数値はこの例に限られない。また、音声信号は、各時間における音声信号の周波数と音声信号の音圧レベルとが関連付けられたデジタルデータとして情報処理装置１０に与えられる。もちろん、音声信号はアナログデータとして与えられてもよい。この場合、各補正部はアナログ信号に対応した補正を行えばよい。あるいは、各補正部は、アナログデータをデジタルデータに変換した後に補正を行えばよい。
【００２７】
情報処理装置１０は、音圧補正部２０、帯域補正部３０、強調補正部４０、表示部５０、入力部６０、音声出力部７０、ドライブ８０、リムーバブルメディア９０、及び制御部１００を備える。
【００２８】
情報処理装置１０は、ＣＰＵ、ＤＳＰ、ＲＯＭ、ＲＡＭ、ハードディスク、ＳＳＤ、各種入力機器（キーボード、マウス、タッチパネル等）、ディスプレイ、音声出力機器（スピーカ等）、ドライブ、及びリムーバブルメディア等のハードウェア構成を備える。そして、情報処理装置１０は、これらのハードウェア構成によって上記の各機能を実現している。すなわち、ＲＯＭには、情報処理装置１０に上記各機能を実現させるためのプログラムが記録されている。ＣＰＵは、このプログラムを読みだして実行する。これにより、上記各機能、すなわち音圧補正部２０、帯域補正部３０、強調補正部４０、表示部５０、入力部６０、音声出力部７０、ドライブ８０、リムーバブルメディア９０、及び制御部１００が実現される。
【００２９】
情報処理装置１０は、音声信号を出力できるものであればその種類は特に問われない。例えば、情報処理装置１０の適用例としては、各種パソコン（据え置き、携帯型問わない）、オーディオ機器（ホーム用、携帯型問わない）、携帯電話、スマートフォン、スマートタブレット、及びカーナビ車載器等が挙げられる。情報処理装置１０が小型の音声出力部７０を有する場合、音質及び音量感が低下しやすいが、本実施形態に係る補正部、特に帯域補正部３０及び強調補正部４０によって音質及び音量感を維持、向上することができる。特に、近年では、情報処理装置１０がノートパソコン、スマートフォン、及びスマートタブレット等のような携帯側の機器となる場合、音声出力部７０（すなわちスピーカ）の許容出来る体積及び厚みに大きな制約が課せられることが多い。しかし、本実施形態では、このような制約によって音声出力部７０が小型化しても、音声信号の音質及び音量感を維持、向上することができる。
【００３０】
音圧補正部２０は、音声信号の音圧レベルを音声信号の全周波数帯域に亘って一律に減衰するものである。減衰量、すなわちゲインはボリューム設定値に応じて異なる。ボリューム設定値が小さいほど、減衰量は大きくなる。音圧補正部２０は、ボリューム設定値に応じた減衰量を示す音圧補正情報を生成し、制御部１００に出力する。
【００３１】
帯域補正部３０は、音声信号の音圧レベルを周波数毎に補正する。また、帯域補正部３０は、ボリューム設定値に応じて音圧レベルの減衰量を変動させる。より具体的には、帯域補正部３０は、所定の中間周波数帯域の音圧レベルを中間周波数帯域以外の帯域の音圧レベルよりも減衰させる。中間周波数帯域は、少なくともボリューム設定値の最大値に対応するフラット帯域を含み、ボリューム設定値が小さくなるほど広くなる。これにより、帯域補正部３０は、ボリューム設定値が小さくなるほどフラット帯域を広げることができる。帯域補正部３０は、ボリューム設定値に応じたゲイン特性を示す帯域補正情報を生成し、制御部１００に出力する。詳細は後述する。
【００３２】
強調補正部４０は、音声信号の波高値を維持しつつ、波高値より低い音圧レベルを高くすることで、音声信号を強調する。ここで、音声信号の最大波高値は、情報処理装置１０が出力可能な最大の音圧レベルを意味する。さらに、強調補正部４０は、ボリューム設定値に応じて強調量を変動させる。すなわち、強調補正部４０は、波高値を固定してボリューム設定値が大きいほど強調量を大きくする。これにより、情報処理装置１０は、ボリューム設定値に応じた強調量の音声信号を出力することができる。強調補正部４０は、音声信号の強調量（すなわち後述するマッピング関数）を示す強調補正情報を生成し、制御部１００に出力する。
【００３３】
強調補正部４０は、分析部４１及びマッピング処理部４２を備え、マッピング処理部４２は、図２に示すように、制御因子生成部４３、制御因子補正部４３ａ、及びマッピング関数生成部４４を備える。これらの構成により、強調補正部４０の機能が実現される。各構成の詳細は後述する。
【００３４】
表示部５０は、各種の画像を表示する。特に、本実施形態では、表示部５０は、ユーザがボリューム設定値を入力するために使用されるボリューム設定用画像を表示する。図３、図４にボリューム設定用画像の一例を示す。
【００３５】
図３に示すボリューム設定用画像２００は、スライダバー２０１と、レール２０２と、ミュート切り替えボタン２０３とを含む。スライダバー２０１は、ユーザ操作に応じてレール２０２上を左右に動く。ユーザは、スライダバー２０１の位置を調整することによって、ボリューム設定値を入力することができる。ミュート切り替えボタン２０３は、押下される毎にミュート（消音）のオンオフを切り替える。なお、レール２０２は表示部５０の上下方向に伸びるものや、ダイヤル状の回転するものなど、１つの指示値を設定できる形状であってもよい。スライダバー２０１及びミュート切り替えボタン２０３の操作は入力部６０により行われる。
【００３６】
図４に示すボリューム設定用画像２１０は、目盛画像表示領域２１０ａと、目盛画像２１１と、ボリューム表示領域２１５とを含む。目盛画像表示領域２１０ａには、ボリューム設定値に応じた数の目盛画像２１１が表示される。すなわち、目盛画像２１１は、ボリューム設定値を示し、ボリューム設定値が大きいほど目盛画像２１１の数が増える。ユーザは、目盛画像２１１の数を調整する入力操作を行うことで、ボリューム設定値を入力することができる。ボリューム表示領域２１５は、現在のボリューム設定値を表示する。図４に示す例ではボリューム設定値は８０となっている。また、目盛画像２１１は８個表示されているので、目盛画像２１１が１つ増える毎にボリューム設定値は２０増える。
【００３７】
ここで、本実施形態では、後述するように、８０というボリューム設定値は、有効な補正部が帯域補正部３０から強調補正部４０に切り替わる境界値となる場合がある。そこで、図５に示すように、表示部５０は、ボリューム設定値が８０を超えた場合、８０を超えた分のボリューム設定値を示す目盛画像２１１ａを目盛画像２１１と異なる態様（例えば異なる色及び輝度等）で表示する。図５に示す例では、ボリューム設定値は１００となり、目盛画像２１１ａは２つ表示されている。
【００３８】
このように、本実施形態では、ユーザは、ボリューム設定用画像を用いてボリューム設定値を入力するが、ボリューム設定値の入力方法はこの方法に限定されない。例えば、ユーザは、キーボードやタッチパネルを使い移動量等を用いてボリューム設定値を入力してもよい。また、情報処理装置１０にボリューム設定用のボタンを備えさせておき、ユーザにこのボタンを操作させるようにしてもよい。また、図４に示すボリューム設定用画像２１０は、現在出力中の音声信号の音量感を表示するために使用されても良い。この場合、目盛２１１は、中間音量値または低音量値を示し、目盛２１１’は高音量値を示す。
【００３９】
入力部６０は、ユーザが各種情報を入力するために使用するものである。入力部６０は、例えばボリューム設定値を入力するために使用される。ボリューム設定値の範囲は例えば０〜１００とされる。音声出力部７０は、音声信号を出力する。ドライブ８０は、リムーバブルメディア９０を着脱するものである。リムーバブルメディア９０には、音声信号等が記録される。コンテンツとボリュームのデフォルト値を紐付けして記録してもよい。
【００４０】
制御部１００は、情報処理装置１０全体を制御する他、以下の処理を行う。すなわち、制御部１００は、入力部６０から与えられたボリューム設定値に基づいて、３つの補正部を制御する。より具体的には、制御部１００は、３つの補正部による補正のうち、少なくとも１つの補正部による補正を有効とし、他の補正部による補正を無効とする。より具体的には、制御部１００は、ボリューム設定値が高音量値（例えば８１〜１００）となる場合には、強調補正部４０による補正を有効とし、他の補正部による補正を無効とする。ボリューム設定値が高音量値よりも低い中間音量値（例えば２８〜８０）を示す場合、帯域補正部３０による補正を有効とし、他の補正部による補正を無効とする。制御部１００は、ボリューム設定値が中間音量値よりも低い低音量値（例えば０〜２７）を示す場合、少なくとも音圧補正部２０による補正を有効とし、強調補正部４０による補正を無効とする。また、制御部１００は、各補正部から与えられた補正情報を合成することで合成補正情報を生成し、この合成補正情報にもとづいて、音声信号を補正する。そして、制御部１００は、補正後音声信号を音声出力部７０に出力する。音声出力部７０は、補正後音声信号を出力する。これにより、ユーザは、補正後音声信号を聴くことができる。
【００４１】
＜３．帯域補正部による処理＞
次に、帯域補正部３０による処理を詳細に説明する。帯域補正部３０は、音声信号の音圧レベルを周波数毎に補正する（減衰させる）。また、帯域補正部３０は、ボリューム設定値に応じて音圧レベルの減衰量を変動させる。すなわち、帯域補正部３０は、ボリューム設定値に応じてゲイン特性（音声信号の周波数と音声信号の減衰量との対応関係を示す特性）を変動させる。図６に示すグラフＬ１０〜Ｌ１４は、帯域補正部３０のゲイン特性の一例を示す。これらのゲイン特性では、周波数毎に減衰量が異なっている。さらに、ボリューム設定値（図６ではボリューム設定値をデシベル単位で示す）毎にゲイン特性が異なっている。
【００４２】
具体的には、帯域補正部３０は、所定の中間周波数帯域の音圧レベルを中間周波数帯域以外の帯域の音圧レベルよりも大きく減衰させる。中間周波数帯域は、少なくともボリューム設定値の最大値に対応するフラット帯域を含み、ボリューム設定値が小さくなるほど広くなる。これにより、帯域補正部３０は、ボリューム設定値が小さくなるほどフラット帯域を広げることができる。
【００４３】
ここで、図７に基づいて、帯域補正部３０のゲイン特性及び帯域補正部３０による補正の内容を詳細に説明する。図７に示すグラフＬ３０〜Ｌ３３は、音圧補正部２０により補正された音声信号を出力するスピーカの出力特性の一例を示す。グラフＬ３０はボリューム設定値＝１００（最大値）に対応し、グラフＬ３１はボリューム設定値＝８０に対応する。グラフＬ３２はボリューム設定値＝６０に対応し、グラフＬ３３はボリューム設定値＝４０に対応する。
【００４４】
一方、グラフＬ６０、Ｌ６３は、帯域補正部３０のボリューム設定値＝１００、４０に対応するゲイン特性（フィルタ）を示す。ここで、帯域補正部３０のゲイン特性は、音声信号の周波数と、帯域補正部３０による音声信号の減衰量（ゲイン）との対応関係で示される。具体的には、グラフＬ６０はボリューム設定値＝１００（最大値）に対応し、グラフＬ６３はボリューム設定値＝４０に対応する。
【００４５】
音圧補正部２０のゲイン特性は、全周波数帯域で一定である。このため、グラフＬ３０〜Ｌ３３に示すように、音圧補正部２０は、音声信号の音圧レベルを全周波数帯域に亘って一律に減衰する。したがって、上述したように、ユーザは、ボリューム設定値の低下に伴って、人間の聴覚特性上、低域と高域の音が聞きづらくなり、音質が低下すると感じてしまう。なお、ユーザは、音圧補正部２０が中間音量値以上のボリューム設定値に対応する補正を行った場合にこのような違和感を持ちやすい。そこで、制御部１００は、ボリューム設定値が中間音量値以上となる場合、帯域補正部３０または強調補正部４０による補正を有効とし、音圧補正部２０による補正を無効とする。
【００４６】
具体的には、帯域補正部３０は、グラフＬ６３に示す通り、所定の中間周波数帯域よりも外側の帯域では音圧レベルの減衰を行わず、中間周波数帯域内で音圧レベルを減衰させる。すなわち、帯域補正部３０は、中間周波数帯域の音圧レベルを中間周波数帯域以外の帯域の音圧レベルよりも減衰させる。中間周波数帯域は、少なくともボリューム設定値の最大値に対応するフラット帯域を含み、ボリューム設定値が小さくなるほど広くなる。
【００４７】
グラフＬ６３が示すように、ボリューム設定値＝４０に対応する中間周波数帯域は、２７０（Ｈｚ）〜１６（ｋＨｚ）となる。したがって、ボリューム設定値の最大値に対応するフラット帯域４５０（Ｈｚ）〜１４（ｋＨｚ）を含む。
【００４８】
さらに、帯域補正部３０は、中間周波数帯域内の所定帯域（以下、この帯域を「最大減衰帯域」とも称する）では、音圧補正部２０と同程度だけ音声信号を減衰させる。ボリューム設定値＝４０に対応する最大減衰帯域は６００（Ｈｚ）〜１２．５（ｋＨｚ）となる。なお、最大減衰帯域は、ユーザが音声信号を聴き取りやすい帯域である。したがって、帯域補正部３０は、この帯域の音声信号をボリューム設定値に応じて減衰することで、音声信号をボリューム設定値に応じた音量感で出力することができる。
【００４９】
帯域補正部３０は、最大減衰帯域と中間周波数帯域との間の周波数に対する減衰量は、周波数が中間周波数帯域の境界値に近づくに従って小さくなる。したがって、グラフＬ６３はいわゆるバスタブの形状を示す。バスタブの底が最大減衰帯域となり、バスタブの両端が中間周波数帯域の境界値を示す。
【００５０】
したがって、帯域補正部３０がボリューム設定値＝４０に対応する補正を行った場合、最大減衰帯域に対応するスピーカ出力特性はグラフＬ３３に示す特性となり、それ以外の帯域の出力特性はグラフＬ４３に示す特性となる。一方、グラフＬ６０が示す通り、ボリューム設定値が最大値となる場合、帯域補正部３０は、音圧レベルの補正を行わない。したがって、帯域補正部３０がボリューム設定値＝１００（最大値）に対応する補正を行った場合、スピーカ出力特性はグラフＬ３３に示す特性となる。したがって、帯域補正部３０は、ボリューム設定値が小さくなるほどフラット帯域を広げることができる。
【００５１】
具体的には、ボリューム設定値＝４０に対応するフラット帯域は、２５０（Ｈｚ）〜１８（ｋＨｚ）となる。したがって、ボリューム設定値＝４０に対応するフラット帯域は、ボリューム設定値＝１００に対応するフラット帯域に対し、低帯域側で２００（Ｈｚ）、高帯域側で４（ｋＨｚ）拡大する。
【００５２】
また、音圧補正部２０がボリューム設定値＝４０に対応する補正を行った場合のスピーカ出力特性、すなわちグラフＬ３３に示す特性と比較すると、グラフＬ４３とグラフＬ３３との差分Ａ１０に相当する分だけ音圧レベルが上昇する。
【００５３】
したがって、本実施形態では、ボリューム設定値が小さくなっても、最大減衰帯域以外の帯域では、音圧レベルの低減量が抑えられるので、ユーザは、図１４の補正では聴き取れなかった音声信号、すなわち低周波数帯域及び高周波数帯域の音声信号も聴き取れるようになる。すなわち、スピーカ（音声出力部７０）は、低周波数帯域及び高周波数帯域の音声信号をスピーカ特性に沿って（すなわち、スピーカが本来出力可能な音圧レベルで）出力することができる。
【００５４】
したがって、帯域補正部３０は、ボリューム設定値が小さくなっても、ユーザが感じる音声信号の再生帯域を維持することができる。さらに、低周波数帯域の音声信号は迫力のある音声信号であり、高周波数帯域の音声信号は空間表現力に優れるので、ユーザは、より迫力があり、かつ空間表現力に優れた音声信号を聴くことができる。
【００５５】
さらに、ボリューム設定値が小さくなると、少なくとも最大減衰帯域では音圧レベルが低下するが、帯域補正部３０は、このような音圧レベルの低下による聴感上の音質の低下をフラット帯域の拡大で補間することができる。したがって、帯域補正部３０は、ボリューム設定値の低下に伴う音質の低下を抑制することができる。また、音声出力部７０が小型であり、かつ、帯域補正部３０による補正を行わない場合、フラット帯域は狭くなる。これに対し、帯域補正部３０は、フラット帯域を広くする補正を行うことができるので、音声出力部７０が小型であっても、ユーザに対し、あたかもスピーカ品質が向上したと認識させることができる。一方、情報処理装置１０が例えばホーム用の比較的大型なスピーカシステムである場合には、音声信号の品質を維持しつつ、ウーファーを小型することができる。ウーファーが小型化しても、帯域補正部３０による補正によってフラット帯域を広くすることができるからである。
【００５６】
図８に、他のボリューム設定値に対応する帯域補正部３０のゲイン特性を示す。具体的には、グラフＬ６１は、ボリューム設定値＝８０に対応するゲイン特性を示し、グラフＬ６２は、ボリューム設定値＝６０に対応するゲイン特性を示す。グラフＬ６０〜Ｌ６３に示される通り、最大減衰帯域は全ボリューム設定値で共通となるが、中間周波数帯域はボリューム設定値が小さくなるほど広くなる。また、最大減衰帯域での減衰量は、ボリューム設定値が大きくなるほど小さくなる。
【００５７】
したがって、帯域補正部３０がボリューム設定値＝８０に対応する補正を行った場合、最大減衰帯域に対応するスピーカ出力特性はグラフＬ３１に示す特性となり、それ以外の帯域の出力特性はグラフＬ４１に示す特性となる。また、帯域補正部３０がボリューム設定値＝６０に対応する補正を行った場合、最大減衰帯域に対応するスピーカ出力特性はグラフＬ３２に示す特性となり、それ以外の帯域の出力特性はグラフＬ４２に示す特性となる。したがって、ボリューム設定値＝８０に対応するフラット帯域は、４００（Ｈｚ）〜１８（ｋＨｚ）となり、ボリューム設定値＝６０に対応するフラット帯域は、３３０（Ｈｚ）〜１８（ｋＨｚ）となる。したがって、帯域補正部３０は、ボリューム設定値が小さくなるほどフラット帯域を広げることができる。
【００５８】
なお、図７及び図８に示す例では、帯域補正部３０がボリューム設定値＝４０〜１００に対して補正を行う場合を示した。しかし、本実施形態では、帯域補正部３０は、ボリューム設定値が中間音量値（例えば２８〜８０）となる場合に補正を行う。したがって、ボリューム設定値＝８０に対応するゲイン特性は、図７でのグラフＬ６０に相当することとなる。すなわち、ボリューム設定値＝８０となる場合に、フルスケールの音声信号が出力される。
【００５９】
また、帯域補正部３０のゲイン特性は、図７及び図８に示す例に限られない。例えば、上述した例では、最大減衰帯域は全ボリューム設定値で共通となるが、ボリューム設定値毎に異なってもよい。例えば、最大減衰帯域は、ボリューム設定値が小さくなるほど広くなってもよい。
【００６０】
帯域補正部３０は、ボリューム設定値に応じたゲイン特性を示す帯域補正情報を制御部１００に出力する。
【００６１】
＜４．強調補正部による処理＞
次に、強調補正部４０による処理について説明する。強調補正部４０は、上述したように、音声信号の波高値を維持しつつ、波高値よりも低い音圧レベルを高くすることで、音声信号を強調する。なお、音声信号を波高値よりも高い値に補正（ゲインアップ）した場合、音声信号がクリッピングする。このクリッピングはノイズの原因となる。そこで、強調補正部４０は、音声信号の波高値を維持しつつ、後述する方法で強調することにより、オリジナルの波高値で得られる以上の音圧レベルに補正を行う。これにより、強調補正部４０は、音声信号のクリッピングを抑制しつつ、音声信号を強調することができる。本実施形態では、制御部１００は、ボリューム設定値が高音量値を示す場合に、強調補正部４０による補正を有効とする。すなわち、本実施形態では、ボリューム設定値が中間音量値の最大値となる際に音声信号を減衰せずに（すなわち、フルスケールのままで）出力する。そして、本実施形態では、ボリューム設定値が高音量値となる場合、フルスケールの音声信号を強調することで、音量感をアップする。したがって、本実施形態では、音声信号を音圧補正部２０だけで補正する場合よりも音量感の可変範囲を拡大することができる。
【００６２】
分析部４１は、音声信号を取得し、音声信号の特性を分析する。これにより、分析部４１は、マッピング制御情報を生成する。具体的には、例えば分析部４１は次式（１）の演算を行なうことで、分析部４１がｎ番目に取得した音声信号についての二乗平均平方根ＲＭＳ（ｎ）を算出し、これをｎ番目の音声信号のマッピング制御情報とする。
【００６３】
【数１】
2014236278.tif 000003
【００６４】
なお、式（１）において、ｘ（ｍ）は、ｍ番目の音声信号の音圧レベルを示す。また、式（１）においては、音圧レベルは−１≦ｘ（ｍ）≦１となるように正規化されている。すなわち、音圧レベルは、波高値の絶対値で除算されることで、正規化されている。
【００６５】
したがって二乗平均平方根ＲＭＳ（ｎ）は、以下の処理により得られる。まず、ｎ番目の音声信号を中心とするＮ個の連続する音声信号からなる特定区間について、その区間に含まれる音声信号の音圧レベルを二乗平均する。そして、二乗平均値の平方根の対数をとり、これにより得られた値に定数「２０」を乗算する。
【００６６】
このようにして得られた二乗平均平方根ＲＭＳ（ｎ）の値は、特定区間に含まれる各音声信号の音圧レベルの絶対値が小さいほど、小さくなる。つまり、特定区間全体の音圧レベルが小さいほど、二乗平均平方根ＲＭＳ（ｎ）は小さくなる。分析部４１はマッピング制御情報をマッピング処理部４２に供給する。
【００６７】
マッピング処理部４２は、分析部４１から供給されたマッピング制御情報と、制御部１００から与えられた強調量制御係数（後述）とに基づいて、強調量情報を生成する。
【００６８】
具体的には、制御因子生成部４３は、マッピング制御情報と以下の式（２）とに基づいて、制御因子を生成する。
【００６９】
【数２】
2014236278.tif 000004
【００７０】
式（２）中、ａは制御因子を示す。式（２）によれば、マッピング制御情報である二乗平均平方根ＲＭＳ（ｎ）の値が−３０より大きく０以下である場合には、制御因子の値は、（ＲＭＳ（ｎ）／−３０）＋１とされる。このとき、制御因子のとり得る値の範囲は１≦ａ＜２となり、二乗平均平方根ＲＭＳ（ｎ）が大きいほど、制御因子の値は小さくなる。また、二乗平均平方根ＲＭＳ（ｎ）の値が−３０以下である場合、制御因子の値は「２」とされる。
【００７１】
制御因子補正部４３ａは、制御因子、強調量制御係数、及び以下の式（３）にもとづいて、補正後制御因子を生成する。
【００７２】
【数３】
2014236278.tif 000005
【００７３】
式（３）中、ａ’は補正後制御因子を示し、ｂは強調量制御係数を示す。なお、式（３）によって補正後制御因子が２．０以上となる場合、補正後制御因子は２．０とされる。ここで、強調量制御係数は、ボリューム設定値に応じて設定される値であり、ボリューム設定値が大きくなるほど大きな値となる。例えば、ボリューム設定値＝８０となる場合、強調量制御係数は０．１とされ、ボリューム設定値＝９０となる場合、強調量制御係数は０．５とされ、ボリューム設定値＝１００となる場合、強調量制御係数は１．０とされてもよい。強調量制御係数は、ボリューム設定値が７９以下となる場合、０とされる。
【００７４】
ここで、強調量制御係数が１．０以下の場合、強調量は抑えられることとなり、逆に強調量制御係数が１．０より大きい場合、音声信号はさらに強調されることとなる。また強調量制御係数＝０のときは、ａ’が常に１．０となり音声信号の強調は行われないことになる。なお、ここで制御因子ではなく、マッピング制御情報に一定係数をかけることでも振幅変換の量、即ち音声信号の強調量を制御することが可能である。すなわち、マッピング制御情報に強調量制御係数を乗じたものを補正後制御因子としてもよい。
【００７５】
マッピング関数生成部４４は、補正後制御因子と、以下の式（４）とに基づいて、マッピング関数を生成する。
【００７６】
【数４】
2014236278.tif 000006
【００７７】
式（４）中、ｆ（ｘ）はマッピング関数を示す。したがって、特定区間内の音圧レベルが全体的に小さいほど、つまり二乗平均平方根ＲＭＳ（ｎ）が小さいほど、補正後制御因子は大きくなり、その結果、マッピング関数の傾きは大きくなる。すなわち、強調量が大きくなる。また、補正後制御因子は、ボリューム設定値が大きいほど大きくなるので、強調量も大きくなる。また、補正後制御因子が２．０のときに強調量が最大となり、補正後制御因子が１．０のときには強調は行われない。
【００７８】
ここで、マッピング関数の変形例を以下の式（５）に示す。
【００７９】
【数５】
2014236278.tif 000007
【００８０】
このとき、制御因子は以下の式（６）で示される。
【００８１】
【数６】
2014236278.tif 000008
【００８２】
マッピング関数の他の変形例を以下の式（７）に示す。
【００８３】
【数７】
2014236278.tif 000009
【００８４】
このとき、制御因子は以下の式（８）で示される。
【００８５】
【数８】
2014236278.tif 000010
【００８６】
もちろん、マッピング関数及び制御因子は上記の例に限られない。例えば、マッピング関数を複数用意し、これらの按分率をマッピング制御情報に基づいて決定し、これらのマッピング関数を按分率に応じて合成したものをマッピング関数としてもよい。すなわち、強調補正部４０と同様の機能を有する補正部であればどのようなものであっても本実施形態に適用可能である。マッピング関数生成部４４は、マッピング関数に関する強調補正情報を制御部１００に出力する。このように、強調補正部４０は、実際の音声信号に基づいてマッピング制御情報を生成するので、事前の分析による付加情報が不要となる。
【００８７】
なお、音圧補正部２０のゲイン特性、帯域補正部３０のゲイン特性、及び強調補正部４０による強調量は、これらの補正部により補正された音声信号の音量感が連続的に変動するように（すなわち、所定のボリュームカーブに従うように）設定される。
【００８８】
＜５．制御部による処理＞
次に、制御部１００による処理について説明する。すなわち、制御部１００は、入力部６０から与えられたボリューム設定値に基づいて、３つの補正部による補正のうち、少なくとも１つの補正部による補正を有効とし、他の補正部による補正を無効とする。より具体的には、制御部１００は、ボリューム設定値が高音量値（例えば８１〜１００）となる場合には、強調補正部４０による補正を有効とし、他の補正部による補正を無効とする。そして、制御部１００は、ボリューム設定値に応じた強調量制御係数を生成し、強調補正部４０に出力する。これに応じて、強調補正部４０は、上述した処理を行う。
【００８９】
一方、ボリューム設定値が高音量値よりも低い中間音量値（例えば２８〜８０）を示す場合、制御部１００は、帯域補正部３０による補正を有効とし、他の補正部による補正を無効とする。そして、制御部１００は、帯域補正部３０にボリューム設定値を出力する。これに応じて、帯域補正部３０は、上述した処理を行う。
【００９０】
一方、ボリューム設定値が中間音量値よりも低い低音量値（例えば０〜２７）を示す場合、制御部１００は、音圧補正部２０による補正を有効とする。そして、制御部１００は、音圧補正部２０にボリューム設定値を出力する。これに応じて、音圧補正部２０は上述した処理を行う。さらに、制御部１００は、帯域補正部３０に対し、中間音量値の最小値に対する補正を許可し、その旨の部分許可情報を帯域補正部３０に出力する。これに応じて、帯域補正部３０は、中間音量値の最小値に対応するゲイン特性（例えば最大減衰帯域に対する減衰量が−２４（ｄＢ）となるもの）を示す帯域補正情報を制御部１００に出力する。なお、この−２４（ｄＢ）という値はあくまで一例であり、情報処理装置１０のスピーカ特性等に応じて適宜調整可能である。制御部１００は、強調補正部４０による補正を無効とする。
【００９１】
なお、制御部１００は、無効とした補正部には、その旨の無効情報を当該補正部に出力する。各補正部は、無効情報が与えられた場合、０（ｄＢ）を示す補正情報を制御部１００に出力する。このように、制御部１００は、ボリューム設定値（指定値）に基づいて複数の補正部、すなわち音圧補正部２０、帯域補正部３０、及び強調補正部４０を制御する。より具体的には、制御部１００は、これらの補正部を複合的に制御、使用し、かつ、これらをボリューム設定値に応じて自動的に切り替える。これにより、ユーザは、各補正部による補正を意識することなく、より多様な音量感、音質の音声信号を聴くことができる。例えば、ユーザは、フラット帯域及び音量感のバランスを自分の好みの値として、音声信号を聴くことができる。特に、中間音量値しか利用しないユーザに対しては、よりフラット帯域の広い高品質な音声信号を聴かせることができる。上記の対応関係を表１に示す。
【００９２】
【表１】
2014236278.tif 000011
【００９３】
これまでに提案された情報処理装置では、音圧補正部による補正しかボリューム設定値に関連付けられていなかった。したがって、仮にこのような情報処理装置に帯域補正部及び強調補正部を搭載しても、情報処理装置は、ボリューム設定値に連動させてこれらの補正部を制御することができない。
【００９４】
なお、低音量値で帯域補正部３０による補正を制限したのは、帯域補正部３０による減衰量、すなわち最大減衰帯域での減衰量が大きくなりすぎると、中間周波数帯域の境界値と最大減衰帯域との間でゲイン特性の変動が急峻となる。このため、ユーザが音声信号に違和感を持つ可能性がある。また、帯域補正部３０は、ゲイン特性の変動が急峻になると、ボリューム設定値に応じてゲイン特性を切り替えることが容易でない場合がある。そこで、本実施形態では、低音量値で帯域補正部３０による補正を制限した。
【００９５】
ただし、帯域補正部３０は、低音量値に対しても違和感の少ない補正が可能であり、かつゲイン特性を容易に切り替えることができるのであれば、ボリューム設定値に応じた補正を行なっても良い。なお、違和感の少ない補正を行うための方法として、例えば、中間周波数帯域の境界値と最大減衰帯域との間におけるゲイン特性の変動を緩やかにすること等が考えられる。
【００９６】
制御部１００は、各補正部から与えられた補正情報を合成することで合成補正情報を生成する。なお、ボリューム設定値が高音量値となる場合、合成補正情報はマッピング関数で構成される。ボリューム設定値が中間音量値となる場合、合成補正情報は帯域補正部３０のゲイン特性で構成される。ボリューム設定値が低音量値となる場合、合成補正情報は、帯域補正部３０のゲイン特性を音圧補正部２０による減衰量だけ減衰させたものとなる。すなわち、合成補正情報はバスタブ型のゲイン特性を示す。これにより、音量感がより連続して変動する。
【００９７】
制御部１００は、この合成補正情報にもとづいて、音声信号を補正する。そして、制御部１００は、補正後音声信号を音声出力部７０に出力する。音声出力部７０は、補正後音声信号を出力する。これにより、ユーザは、補正後音声信号を聴くことができる。すなわち、ユーザは、ボリューム設定値を低下させても、より広い周波数帯域の音声信号を聴くことができる。また、ユーザは、ボリューム設定値を大きくした場合には、さらに迫力のある音量感のある音声信号を聴くことができる。このように、情報処理装置１０は、インテリジェントな音量コントロールをユーザに提供することができる。
【００９８】
なお、上記の処理では、制御部１００は、無効とした補正部からの出力を０（ｄＢ）としたが、制御部１００は、無効とした補正部からの出力を任意としてもよい。この場合、制御部１００は、当該補正部からの出力を合成補正情報に反映させなければよい。また、上記の処理では、制御部１００は、ボリューム設定値を音圧補正部２０及び帯域補正部３０に出力し、音圧補正部２０及び帯域補正部３０が具体的な補正情報を生成する。しかし、制御部１００は、何らかの補正値、例えば音圧補正部２０による減衰量、帯域補正部３０による最大減衰帯域での減衰量等を生成し、これらの補正部に出力してもよい。この場合、各補正部での処理が簡略化されうる。
【００９９】
また、上記の処理では、制御部１００は、各補正部から補正情報を取得し、これらを合成することで合成補正情報を生成する。しかし、例えば各補正部は音声信号の補正を行い、その結果を制御部１００に出力してもよい。この場合、制御部１００は、各補正部から与えられた音声信号を合成すればよい。
【０１００】
図９に示すグラフＬ７０（ボリュームカーブ）は、ボリューム設定値と、本実施形態によって出力される音声信号の音量感との対応関係の一例を示す。ボリューム設定値が高音量値Ａ２３となる場合、強調補正部４０は、グラフＬ７０に示す音量感が実現されるように、上述した補正を行う。また、ボリューム設定値が中間音量値Ａ２２となる場合、帯域補正部３０は、グラフＬ７０に示す音量感が実現されるように、上述した補正を行う。また、ボリューム設定値が低音量値Ａ２１となる場合、音圧補正部２０及び帯域補正部３０は、グラフＬ７０に示す音量感が実現されるように、上述した補正を行う。ここで、グラフＬ７０の形状は図１３に示すグラフＬ８０に近似する。したがって、本実施形態では、全ボリューム設定値に対する補正を音圧補正部２０だけで行った場合と同様の音量感を実現できる。さらに、本実施形態では、ボリューム設定値毎に異なる補正部を用いて音声信号を補正し、かつ、各補正部は上述した処理を行うことができるので、音声信号の音質が向上する。例えば、中間音量値Ａ２２では、各ボリューム設定値に対するフラット帯域が拡大するので、音質が向上する。また、高音量値Ａ２３では、音声信号が強調されるので、ユーザは、より迫力のある音声信号を聴くことができる。
【０１０１】
ここで、本実施形態により実現される音量感はグラフＬ７０に限定されず、どのようなものであってもよい。例えば本実施形態では、グラフＬ７１〜Ｌ７３に示す音量感が実現されるようにしてもよい。
【０１０２】
＜６．情報処理装置による処理の手順＞
次に、情報処理装置１０による処理の手順について説明する。ステップＳ１０において、制御部１００は、音声信号を取得する。なお、制御部１００は、情報処理装置１０のハードディスク等に記憶された音声信号を取得しても良いし、ネットワークを介して他の通信機器から音声信号を取得してもよい。すなわち、音声信号を取得する方法は問われない。
【０１０３】
ステップＳ２０において、ユーザは、入力部６０を用いて所望のボリューム設定値を入力する。この際、制御部１００は、例えば図３及び図４に示すようなボリューム設定用画像を表示してもよい。この場合、ユーザは、このボリューム設定用画像を参照しながらボリューム設定値を入力することができる。制御部１００は、入力部６０からの設定値を参照する。
【０１０４】
ステップＳ３０において、制御部１００は、入力部６０から与えられたボリューム設定値に基づいて、３つの補正部による補正のうち、少なくとも１つの補正部による補正を有効とし、他の補正部による補正を無効とする。より具体的には、制御部１００は、ボリューム設定値が高音量値（例えば８１〜１００）となる場合には、強調補正部４０による補正を有効とし、他の補正部による補正を無効とする。そして、制御部１００は、ボリューム設定値に応じた強調量制御係数を生成し、強調補正部４０に出力する。
【０１０５】
一方、ボリューム設定値が高音量値よりも低い中間音量値（例えば２８〜８０）を示す場合、制御部１００は、帯域補正部３０による補正を有効とし、他の補正部による補正を無効とする。そして、制御部１００は、帯域補正部３０にボリューム設定値を出力する。
【０１０６】
一方、ボリューム設定値が中間音量値よりも低い低音量値（例えば０〜２７）を示す場合、制御部１００は、音圧補正部２０による補正を有効とする。そして、制御部１００は、音圧補正部２０にボリューム設定値を出力する。さらに、制御部１００は、帯域補正部３０に対し、中間音量値の最小値に対する補正を許可し、その旨の部分許可情報を帯域補正部３０に出力する。制御部１００は、強調補正部４０による補正を無効とする。なお、制御部１００は、無効とした補正部には、その旨の無効情報を当該補正部に出力する。
【０１０７】
ステップＳ４０において、各補正部は、制御部１００により与えられた情報にもとづいて、補正情報を生成し、制御部１００に出力する。具体的には、音圧補正部２０は、ボリューム設定値が与えられた場合には、ボリューム設定値に応じた減衰量を示す音圧補正情報を生成し、制御部１００に出力する。一方、音圧補正部２０は、無効情報が与えられた場合には、０（ｄＢ）を示す音圧補正情報を生成し、制御部１００に出力する。
【０１０８】
帯域補正部３０は、ボリューム設定値が与えられた場合には、ボリューム設定値に対応するゲイン特性を示す帯域補正情報を生成し、制御部１００に出力する。ここで、ゲイン特性は、中間周波数帯域での減衰量が他の帯域での減衰量よりも大きくなっている。また、中間周波数帯域での減衰量は、ボリューム設定値が小さくなるほど大きくなる。詳細は図７及び図８に示す通りである。一方、帯域補正部３０は、部分許可情報を与えられた場合には、中間音量値の最小値に対応するゲイン特性を示す帯域補正情報を生成し、制御部１００に出力する。帯域補正部３０は、無効情報が与えられた場合には、０（ｄＢ）を示す帯域補正情報を生成し、制御部１００に出力する。
【０１０９】
強調補正部４０は、強調量制御係数が与えられた場合には、この制御係数に基づいてマッピング関数を生成し、マッピング関数に関する強調補正情報を生成する。そして、強調補正部４０は、強調補正情報を制御部１００に出力する。一方、強調補正部４０は、無効情報が与えられた場合には、０（ｄＢ）を示す強調補正情報を生成し、制御部１００に出力する。
【０１１０】
ステップＳ５０において、制御部１００は、各補正部から与えられた補正情報を合成することで合成補正情報を生成する。ステップＳ６０において、制御部１００は、合成補正情報にもとづいて、音声信号を補正する。ステップＳ７０において、制御部１００は、補正後の音声信号を音声出力部７０に出力し、音声出力部７０は、補正後の音声出力を出力する。その後、制御部１００は、本処理を終了する。本実施形態では、各補正部の情報を制御部に集約して合成して音声出力部に出力しているが、各補正部をカスケード接続し、補正しない部分は、制御部から０ｄＢ（パススルー）するように指示し、最終的な音声信号を音声出力部に出力するようにしてもよい。
【０１１１】
次に、強調補正部４０による処理の手順を図１２に示すフローチャートに沿って説明する。ステップＳ８０において、分析部４１は、音声信号を取得する。なお、分析部４１は、情報処理装置１０のハードディスク等に記憶された音声信号を取得しても良いし、ネットワークを介して他の通信機器から音声信号を取得してもよい。すなわち、音声信号を取得する方法は問われない。
【０１１２】
ステップＳ９０において、分析部４１は、音声信号の特性を分析する。これにより、分析部４１は、マッピング制御情報を生成する。
【０１１３】
ステップＳ１００において、マッピング処理部４２の制御因子生成部４３は、マッピング制御情報と上述した式（２）とに基づいて、制御因子を生成する。ステップＳ１１０において、制御因子補正部４３ａは、制御部１００から強調量制御係数を取得し、制御因子、強調量制御係数、及び上述した式（３）にもとづいて、補正後制御因子を生成する。
【０１１４】
ステップＳ１２０において、マッピング関数生成部４４は、補正後制御因子と、上述した式（４）とに基づいて、マッピング関数を生成する。そして、マッピング関数生成部４４は、マッピング関数に関する強調補正情報を生成し、制御部１００に出力する。その後、強調補正部４０は、本処理を終了する。
【０１１５】
以上により、本実施形態では、情報処理装置１０は、１つの指示値に基づいて、複数の補正部を制御することができる。すなわち、情報処理装置１０は、１つの指示値に対して複数の補正部を連携させた補正を行うことができる。
【０１１６】
さらに、情報処理装置１０は、指示値に基づいて、複数の補正部のうち、少なくとも１つの補正部による補正を有効とし、他の補正部による補正を無効とするので、複数の補正部を連携させつつ、指示値に応じた好適な補正部を選択することができる。
【０１１７】
さらに、情報処理装置１０は、帯域補正部３０及び強調補正部４０のうち、少なくとも一方を備えるので、１つの指示値に基づいてこれらの補正部を連携させつつ、音声信号を補正することができる。
【０１１８】
さらに、情報処理装置１０は、音圧補正部２０を含むので、音声信号に対してより多様な補正が可能となる。
【０１１９】
さらに、情報処理装置１０は、ボリューム設定値に基づいて、帯域補正部、強調補正部、及び音圧補正部を制御するので、ユーザは、ボリューム設定値を調整するだけで、これらの補正部を連携させた補正を情報処理装置１０に行わせることができる。
【０１２０】
さらに、情報処理装置１０は、ボリューム設定値が高音量値を示す場合、強調補正部４０による補正を有効とし、ボリューム設定値が中間音量値を示す場合、帯域補正部３０による補正を有効とする。さらに、情報処理装置１０は、ボリューム設定値が中間音量値よりも低い低音量値を示す場合、少なくとも音圧補正部２０による補正を有効とする。したがって、情報処理装置１０は、ボリューム設定値の大きさに応じた補正部を選択し、この補正部による補正を行うことができる。
【０１２１】
すなわち、情報処理装置１０は、ボリューム設定値が高音量値を示す場合、音声信号の波高値を維持しつつ音声信号の音圧レベルを補正する（すなわち、強調する）ことができる。また、情報処理装置１０は、ボリューム設定値が中間音量値を示す場合、音声信号を周波数ごとに補正することができる。特に、本実施形態では、帯域補正部３０は、中間周波数帯域での音圧レベルを他の帯域での音圧レベルよりも大きく減衰させるので、フラット帯域を拡大することができる。
【０１２２】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１２３】
例えば、上記実施形態では、情報処理装置１０に３つの補正部を搭載することとしたが、補正部の数は２以上（すなわち複数）であればその数は問われない。例えば帯域補正部３０がボリューム設定値の最小値まで対応可能であれば、音圧補正部２０は割愛してもよい。また、上述した補正部以外の他の補正部を更に情報処理装置１０に搭載してもよい。また、上述した実施形態では、音声信号の補正を行うこととしたが、本技術はかかる例に限定されない。例えば、他の情報、例えば画像情報等を補正する技術に上述した実施形態を適用するようにしてもよい。また、上記実施形態では、複数の補正部は情報処理装置１０内に内蔵されるが、これらの補正部のうち少なくとも１つは情報処理装置１０以外の他の機器に内蔵されていてもよい。この場合、情報処理装置１０は、通信ネットワーク等を介してボリューム設定値等を他の機器に提供し、他の機器から補正情報を取得することになる。具体的な形態としては、情報処理装置１０がオーディオ機器であり、他の機器がオーディオ機器を管理するサーバとなる場合等が挙げられる。また、上述した処理では、ボリューム設定値が低音量値となる場合に複数の補正部（すなわち音圧補正部２０及び帯域補正部３０）による補正を有効としたが、ボリューム設定値が他の範囲の値となる場合にも、複数の補正部による補正を有効としてもよい。
【０１２４】
なお、以下のような構成も本開示の技術的範囲に属する。
（１）
音声信号を出力する機能を有する情報処理装置において、
前記音声信号に対する補正を行う複数の補正部と、
１つの指示値に基づいて、前記複数の補正部を制御する制御部と、を備える、情報処理装置。
（２）
前記制御部は、前記指示値に基づいて、前記複数の補正部のうち、少なくとも１つの補正部による補正を有効とし、他の補正部による補正を無効とする、前記（１）記載の情報処理装置。
（３）
前記複数の補正部には、音声信号の音圧レベルを周波数毎に補正する帯域補正部、及び前記音声信号を強調する補正を行う強調補正部のうち、少なくとも一方が含まれる、前記（１）または（２）記載の情報処理装置。
（４）
前記複数の補正部には、前記音声信号の音圧レベルを一律に補正する音圧補正部を含む、前記（３）記載の情報処理装置。
（５）
前記指示値は前記音声信号のボリューム設定値であり、
前記制御部は、前記ボリューム設定値に基づいて、前記帯域補正部、前記強調補正部、及び前記音圧補正部を制御する、前記（４）記載の情報処理装置。
（６）
前記制御部は、前記ボリューム設定値が高音量値を示す場合、前記強調補正部による補正を有効とし、前記ボリューム設定値が前記高音量値よりも低い中間音量値を示す場合、前記帯域補正部による補正を有効とし、前記ボリューム設定値が前記中間音量値よりも低い低音量値を示す場合、少なくとも前記音圧補正部による補正を有効とする、前記（５）記載の情報処理装置。
（７）
前記帯域補正部は、前記音声信号の中間周波数帯域の音圧レベルを前記中間周波数帯域以外の帯域の音圧レベルよりも大きく減衰させる、前記（３）〜（６）のいずれか１項に記載の情報処理装置。
（８）
前記強調補正部は、前記音声信号の波高値を維持しつつ前記音声信号の音圧を補正する、前記（３）〜（７）のいずれか１項に記載の情報処理装置。
（９）
音声信号を出力する処理を行う情報処理方法において、
複数の補正部により、前記音声信号に対する補正を行うことと、
１つの指示値に基づいて、前記複数の補正部を制御することと、を含む、情報処理方法。
（１０）
音声信号を出力する機能を有するコンピュータに、
前記音声信号に対する補正を行う複数の補正機能と、
１つの指示値に基づいて、前記複数の補正機能を制御する制御機能と、を実現させる、プログラム。
【符号の説明】
【０１２５】
１０      情報処理装置
２０      音圧補正部
３０      帯域補正部
４０      強調補正部
４１      分析部
４２      マッピング処理部
４３      制御因子生成部
４４      マッピング関数生成部
５０      表示部
６０      入力部
７０      音声出力部
８０      ドライブ
９０      リムーバブルメディア
【図１】
2014236278.tif 000012
【図２】
2014236278.tif 000013
【図３】
2014236278.tif 000014
【図４】
2014236278.tif 000015
【図５】
2014236278.tif 000016
【図６】
2014236278.tif 000017
【図７】
2014236278.tif 000018
【図８】
2014236278.tif 000019
【図９】
2014236278.tif 000020
【図１０】
2014236278.tif 000021
【図１１】
2014236278.tif 000022
【図１２】
2014236278.tif 000023
【図１３】
2014236278.tif 000024
【図１４】
2014236278.tif 000025